(57)【要約】【課題】ベルト交換時における駆動プーリの芯出しを容易かつ迅速に行えるモータプーリの芯出し装置および芯出し方法を提供する。【解決手段】モータ１０の回転軸に固定された駆動プーリ２４に巻き掛けられる無端状のＶベルト３０を介してモータ動力が伝達される一定位置の被駆動プーリ２８に対して駆動プーリの芯出しをするためのモータプーリ芯出し装置５０であって、モータ１０の設置場所に固定される架台２０と、架台２０上に固定されるベースプレート１４と、ベースプレート１４に対して回動可能に取り付けられ、上面にモータ１０が固定された回転盤５２と、ベースプレート１４に対する回転盤５２の回転位置を調整可能に位置決めする位置決め手段３４とを備える。【選択図】図１
2011127735.tif 000002
【特許請求の範囲】
【請求項１】
モータの回転軸に固定された駆動プーリに巻き掛けられる無端状のベルトを介してモータ動力が伝達される一定位置の被駆動プーリに対して前記駆動プーリの芯出しをするためのモータプーリ芯出し装置であって、
前記モータの設置場所に固定される架台と、架台上に固定されるベースプレートと、ベースプレートに対して回動可能に取り付けられ、上面に前記モータが固定された回転盤と、前記ベースプレートに対する前記回転盤の回転位置を調整可能に位置決めする位置決め手段と
を備えるモータプーリの芯出し装置。
【請求項２】
請求項１に記載のモータプーリの芯出し装置において、
前記位置決め手段は、前記架台または前記ベースプレートに固定されるとともに雌ねじ穴が形成された固定板と、前記固定板の雌ねじ穴に螺合したねじ部の先端が前記回転盤の縁部に当接する調整ボルトとを含み、前記調整ボルトは、前記架台上に前記ベースプレートが固定された状態で締め付けられることにより、前記駆動プーリと前記被駆動プーリとに巻き掛けられた前記ベルトの張力に抗して前記回転盤を回転させるように前記ねじ部の先端で前記回転盤を押圧することを特徴とするモータプーリの芯出し装置。
【請求項３】
請求項１または２に記載のモータプーリの芯出し装置において、
前記ベルトはＶベルトであることを特徴とするモータプーリの芯出し装置。
【請求項４】
モータの回転軸に固定された駆動プーリに巻き掛けられる無端状のベルトを介してモータ動力が伝達される一定位置の被駆動プーリに対して前記駆動プーリの芯出しをするためのモータプーリの芯出し方法であって、
前記モータが上面に固定された回転盤を回動可能に取り付けたベースプレートを、モータ設置場所に固定されている架台上に、前記駆動プーリと前記被駆動プーリとに巻き掛けられた前記ベルトが張られた状態で固定し、
前記架台または前記ベースプレートに固定された位置決め手段により前記回転盤を前記ベルトの張力に抗して回転させて、前記被駆動プーリに対して前記駆動プーリが芯出しされた位置に前記回転盤の回転位置を位置決めする、
モータプーリの芯出し方法。
【請求項５】
請求項４に記載のモータプーリの芯出し方法であって、
前記位置決め手段は、前記架台または前記ベースプレートに固定されるとともに雌ねじ穴が形成された固定板と、前記固定板の雌ねじ穴に螺合したねじ部の先端が前記回転盤の縁部に当接する調整ボルトとを含み、前記架台上に前記ベースプレートが固定された状態で前記調整ボルトを締め付けることにより、前記回転盤を前記ねじ部の先端で押圧して回転させることを特徴とするモータプーリの芯出し方法。
【請求項６】
請求項４または５に記載のモータプーリの芯出し方法において、
前記ベルトはＶベルトであることを特徴とするモータプーリの芯出し方法。
【発明の詳細な説明】
【技術分野】
【０００１】
本発明は、モータプーリの芯出し装置および芯出し方法に関し、特に、モータの回転軸に固定された駆動プーリに巻き掛けられる無端状のベルトを介してモータ動力が伝達される被駆動プーリに対して駆動プーリをするためのモータプーリの芯出し装置および芯出し方法に関する。
【背景技術】
【０００２】
従来、種々の産業機械の動力源として、モータが広く用いられている。例えば、エスカレータにおいて階段状に連なる多数のステップを移動させるための動力源や、エレベータの乗りかごを昇降移動させる動力源にもモータが使用されている。
【０００３】
エスカレータにおいてモータの動力は、モータの回転軸に固定された駆動プーリと、駆動される側の装置である減速機に連結された被駆動プーリとに巻き掛けられる無端状のＶベルトを介して伝達されて前記減速機に入力される。台形状の断面を有するＶベルトは、平ベルトに比べて各プーリのＶ字状をなすプーリ溝の両側面との接触面積を広くすることができるので、比較的大きな動力を伝達するのに好適である。
【０００４】
しかし、例えばゴム材料からなるＶベルトは、良好に張った状態で使用されるうちに次第に伸びが生じて緩むことによりプーリとの間でスリップが発生し、動力の伝達効率の低下を招く。また、ゴム製のＶベルトは経時的劣化等に起因して、使用中に切断することもある。したがって、エスカレータに用いられるＶベルトについては、保守員が定期的にベルトの緩みや亀裂等を点検し、必要に応じて新品に交換することを行っている。
【０００５】
図３に、従来よりエスカレータの駆動ユニットとして用いられるモータ１０および減速機１２を上方から見た状態で示す。図３においては、減速機１２に連結されている駆動スプロケット等の図示が省略されている。
【０００６】
図示するように、モータ１０は、例えば金属板からなる長方形状のベースプレート１４上に固定されている。ベースプレート１４の四隅には、長孔１６がそれぞれ貫通形成されている。長孔１６にそれぞれ挿入されたボルト１８によって、ベースプレート１４は架台２０上に固定されている。
【０００７】
架台２０は、例えば金属製の枠体として形成されており、モータ設置場所である機械室のコンクリート製の床面にアンカーボルト等によって堅固に固定されている。一方、減速機１２は、モータ１０が固定される架台２０に隣接して上記床面上に固定配置されている。なお、架台２０は、床面以外の他の固定構造物に固定される場合もある。
【０００８】
モータ１０の回転軸２２の端部には、Ｖ字状のプーリ溝を有する駆動プーリ２４が固定されている。減速機１２の入力軸２６の端部にも、Ｖ字状のプーリ溝を有する被駆動プーリ２８が固定されている。被駆動プーリ２８は、減速機１２が一旦設置された後は一定位置にある。
【０００９】
駆動プーリ２４と被駆動プーリ２８とには、無端状のＶベルト３０が巻き掛けられている。Ｖベルト３０が適度なテンションで張られていると共に、被駆動プーリ２８に対して駆動プーリ２４が正確に芯出しされていることで、モータ１０の回転軸２２に出力される動力をＶベルト３０および被駆動プーリ２８を介して減速機１２に良好に伝達することができる。
【００１０】
ここで、「芯出し」とは、一定位置にある被駆動プーリ２８の外側端面２９に対して、駆動プーリ２４の外側端面２５が完全に平行になっている状態をいう。このとき、被駆動プーリ２８の外側端面２９と駆動プーリ２４の外側端面２５とは、プーリの厚みの相違等に起因して同一平面上に位置していなくてもよく、上記平行状態が確保されていればモータ１０の回転軸２２の軸中心３２の方向にずれていてもよい。また、上記芯出しされた状態を換言すれば、駆動プーリ２４から被駆動プーリ２８に向かって延伸するＶベルト３０の延伸方向がモータ１０の回転軸２２の軸中心３２に対して直交する状態ともいえる。なお、本願明細書中における「芯出し」なる用語はすべて上述した状態が確保されているか又は確保しようとすることを意味しており、以下において同じ説明を繰り返さないこととする。
【００１１】
図３を再び参照すると、架台２０には位置決め手段３４が設けられている。位置決め手段３４は、減速機１２に対向する架台２０の側面２１に固定され、上部が架台２０の上面から上方に突出した固定板３６と、固定板３６に形成された雌ねじ穴に螺合した調整ボルト３８と、固定板３６のモータ１０側で調整ボルト３８のねじ部４０に螺合させた留めナット４２とを含む。固定板３６を貫通して螺合した調整ボルト３８のねじ部４０の先端が、ベースプレート１４の一角部近傍の縁部に当接されている。これにより、調整ボルト３８を締め込むことで、ねじ部４０の先端でベースプレート１４を押圧して矢印Ｂ方向、すなわち減速機１２および被駆動プーリ２８から離れる方向に移動させることができる。
【００１２】
続いて、Ｖベルト３０を交換するときの駆動プーリ２４の芯出し作業について説明する。
【００１３】
Ｖベルト３０が伸び、亀裂、破断等に起因して新品に交換される際、ベースプレート１４を架台２０に固定する４つのボルト１８を緩める。これにより、モータ１０が固定されたベースプレート１４は、長孔１６によって許容される距離だけ架台２０に対して移動可能になる。そして、ベースプレート１４を減速機１２側へ最大限接近させた位置に移動させ、この位置で駆動プーリ２４と被駆動プーリ２８との新品のＶベルト３０を掛け渡す。
【００１４】
その後、保守員がモータ１０を矢印Ｂ方向に押してベースプレート１４を矢印Ｃ方向に移動させ、Ｖベルト３０が或る程度張った状態になった位置で、調整ボルト３８の先端が当接する位置からほぼ対角に最も離れて位置する角部のボルト１８ａを仮締めする。そのとき、ベースプレート１４は、モータ１０の駆動プーリ２４に作用するＶベルト３０の張力によって図３中に点線で示すように傾いた状態になっており、この状態では駆動プーリ２４の外側端面２５は被駆動プーリ２８の外側端面２９に対してまだ平行にはなっていない。なお、図３中ではベースプレート１４の傾き状態をかなり誇張して描いているが、実際の傾き角度θは例えば数度ぐらいである。
【００１５】
それから、調整ボルト３８を締め付けてベースプレート１４を矢印Ｃ方向に押圧することで、上記傾き角度θが解消されるようにベースプレート１４をボルト１８ａの位置を中心といて回転移動させることができれば、駆動プーリ２４の芯出し作業が完了する。
【００１６】
なお、本願出願人が調査した限りにおいて、本願発明に関連する先行技術文献を見出すことはできなかった。
【発明の概要】
【発明が解決しようとする課題】
【００１７】
しかしながら、上記のような従来の芯出し作業では、調整ボルト３８を締め付けたとき、ベースプレート１４がボルト１８ａの位置を中心といて回転移動してくれればよいが、Ｖベルト３０の張力によって駆動プーリ２４が矢印Ｃ方向に強く引っ張られるため、仮締めされたボルト１８ａの位置でもベースプレート１４が移動してしまってベースプレート１４全体が傾いた状態のまま平行移動してしまうことが多い。そのために、ベルト交換時における駆動プーリ２４の芯出し作業は、非常に時間と労力を要する大変な作業になっていた。
【００１８】
本発明の目的は、ベルト交換時における駆動プーリの芯出しを容易かつ迅速に行えるモータプーリの芯出し装置および芯出し方法を提供することにある。
【課題を解決するための手段】
【００１９】
本発明に係るモータプーリの芯出し装置は、モータの回転軸に固定された駆動プーリに巻き掛けられる無端状のベルトを介してモータ動力が伝達される一定位置の被駆動プーリに対して前記駆動プーリの芯出しをするためのモータプーリ芯出し装置であって、前記モータの設置場所に固定される架台と、架台上に固定されるベースプレートと、ベースプレートに対して回動可能に取り付けられ、上面に前記モータが固定された回転盤と、前記ベースプレートに対する前記回転盤の回転位置を調整可能に位置決めする位置決め手段とを備える。
【００２０】
本発明に係るモータプーリの芯出し装置において、前記位置決め手段は、前記架台または前記ベースプレートに固定されるとともに雌ねじ穴が形成された固定板と、前記固定板の雌ねじ穴に螺合したねじ部の先端が前記回転盤の縁部に当接する調整ボルトとを含み、前記調整ボルトは、前記架台上に前記ベースプレートが固定された状態で締め付けられることにより、前記駆動プーリと前記被駆動プーリとに巻き掛けられた前記ベルトの張力に抗して前記回転盤を回転させるように前記ねじ部の先端で前記回転盤を押圧してもよい。
【００２１】
また、本発明に係るモータプーリの芯出し装置において、前記ベルトはＶベルトであってもよい。
【００２２】
本発明に係るモータプーリの芯出し方法は、モータの回転軸に固定された駆動プーリに巻き掛けられる無端状のベルトを介してモータ動力が伝達される一定位置の被駆動プーリに対して前記駆動プーリの芯出しをするためのモータプーリの芯出し方法であって、前記モータが上面に固定された回転盤を回動可能に取り付けたベースプレートを、モータ設置場所に固定されている架台上に、前記駆動プーリと前記被駆動プーリとに巻き掛けられた前記ベルトが張られた状態で固定し、前記架台または前記ベースプレートに固定された位置決め手段により前記回転盤を前記ベルトの張力に抗して回転させて、前記被駆動プーリに対して前記駆動プーリが芯出しされた位置に前記回転盤の回転位置を位置決めするものである。
【００２３】
本発明に係るモータプーリの芯出し方法において、前記位置決め手段は、前記架台または前記ベースプレートに固定されるとともに雌ねじ穴が形成された固定板と、前記固定板の雌ねじ穴に螺合したねじ部の先端が前記回転盤の縁部に当接する調整ボルトとを含み、前記架台上に前記ベースプレートが固定された状態で前記調整ボルトを締め付けることにより、前記回転盤を前記ねじ部の先端で押圧して回転させてもよい。
【００２４】
また、本発明に係るモータプーリの芯出し方法において、前記ベルトはＶベルトであってもよい。
【発明の効果】
【００２５】
本発明に係るモータプーリの芯出し装置および芯出し方法によれば、ベルトを或る程度張った状態にしてベースプレートを架台に固定してから、モータが固定された回転盤を位置決め手段により回転させて所望の回転位置に位置決めすることができる。したがって、モータの回転軸に固定された駆動プーリの被駆動プーリに対する芯出しを容易かつ迅速に行うことができる。
【図面の簡単な説明】
【００２６】
【図１】本発明の一実施の形態であるモータプーリの芯出し装置を示す平面図である。
【図２】図１のモータプーリの芯出し装置を矢印Ａ方向から見た側面図である。
【図３】従来のモータプーリの芯出し作業を説明するための図である。
【発明を実施するための形態】
【００２７】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００２８】
図１，２に、本発明の一実施の形態であるモータプーリの芯出し装置５０を示す。図１，２において、減速機１２、入力軸２６および被駆動プーリ２８の構成は図３に示すものと同様であるため図示を省略している。また、下記においては、上述した構成と同一または類似の部材および部分については同一または類似の符合を用いて説明する。
【００２９】
本実施形態のモータプーリの芯出し装置５０は、モータ１０の設置場所に固定される架台２０と、架台２０上に複数のボルト１８によって固定されるベースプレート１４と、ベースプレート１４に対して回動可能に取り付けられ、上面にモータ１０が固定された回転盤５２と、ベースプレート１４に対する回転盤５２の回転位置を調整可能に位置決めする位置決め手段３４とを備える。
【００３０】
ベースプレート１４上には、円柱状の支持部材５４が突設されている。一方、回転盤５２の下面中央部には円柱状空間を含む凹部５８が形成されている。この凹部５８には軸受部材５６が嵌合されている。軸受部材５６内には、上記支持部材５４の上端部が嵌合固定されている。これにより、回転盤５２は、ベースプレート１４に対して回動可能に支持されている。回転盤５２は、例えば矩形状の金属板により好適に形成されるが、その形状および材料は適宜に選択され得る。
【００３１】
図１に示すように、位置決め手段３４を構成する調整ボルト３８のねじ部４０の先端は、回転盤５２においてＶベルト３０側の一角部近傍の縁部に当接されている。これにより、調整ボルト３８を締め付けることにより、回転盤５２を押圧して回転させることができる。
【００３２】
これら以外の構成は、既述したものと同様であるため、重複することとなる説明を援用により省略する。
【００３３】
続いて、ベルト交換時のモータプーリの芯出し装置５０による駆動プーリ２４の芯出し作業について説明する。
【００３４】
まず、Ｖベルト３０が伸び、亀裂、破断等に起因して新品に交換される際、ベースプレート１４を架台２０に固定する４つのボルト１８を緩める。これにより、モータ１０が固定されたベースプレート１４は、長孔１６によって許容される距離だけ架台２０に対して移動可能になる。そして、ベースプレート１４を減速機１２（図１の上方）へ最大限接近させた位置に移動させ、この位置で駆動プーリ２４と被駆動プーリ２８との新品のＶベルト３０を掛け渡す。
【００３５】
その後、保守員がモータ１０を矢印Ｂ方向に押してベースプレート１４を矢印Ｃ方向に移動させ、Ｖベルト３０が或る程度張った状態になった位置で、すべてのボルト１８を締め付けてベースプレート１４を架台２０に固定する。そのとき回転盤５２は、調整ボルト３８の先端によって回転規制されていて、図３中に点線で示されるベースプレート１４と同様に例えば数度ぐらい傾いた状態になっている。この状態では駆動プーリ２４の外側端面２５は被駆動プーリ２８の外側端面２９に対してまだ平行にはなっていない。
【００３６】
それから、調整ボルト３８を締め付けてねじ部４０の先端で回転盤５２を矢印Ｃ方向に押圧する。これにより回転盤５２は、Ｖベルト３０の張力に抗して矢印Ｄ方向に回転する。そして、駆動プーリ２４の外側端面２５が被駆動プーリ２８の外側端面２９と平行になったことを専用の測定器具を用いて確認できた位置で、留めナット４２を締め付けて固定板３６に対する調整ボルト３８の位置を固定する。これにより、駆動プーリ２４が芯出しされた位置で回転盤５２の回転位置が位置決めされ、駆動プーリ２４の芯出し作業が完了する。
【００３７】
このように本実施形態のモータプーリの芯出し装置５０によれば、Ｖベルト３０の交換時における駆動プーリ２４の芯出し作業を容易かつ迅速に行うことができる。
【００３８】
なお、本発明は、上述した実施の形態に限定されるのもではなく、本発明の要旨または範囲を逸脱しない限りにおいて種々の変更または改良が可能である。
【００３９】
例えば、上記実施形態では、位置決め手段３４の固定板３６を架台２０に固定したが、これに代えて、固定板３６をベースプレート１４に固定してもよい。
【００４０】
また、上記実施形態ではＶベルト３０が用いられるものとして説明したが、本発明は、例えば平ベルト、丸ベルト等のＶベルト以外のベルトが用いられるモータプーリの芯出し作業に適用されてもよい。
【符号の説明】
【００４１】
１０  モータ、１２  減速機、１４  ベースプレート、１６  長孔、１８  ボルト、２０  架台、２２  回転軸、２４  駆動プーリ、２５  外側端面、２６  入力軸、２８  被駆動プーリ、２９  外側端面、３０  Ｖベルト、３２  軸中心、３４  位置決め手段、３６  固定板、３８  調整ボルト、４０  ねじ部、４２  留めナット、５０  モータプーリの芯出し装置、５２  回転盤、５４  支持部材、５６  軸受部材、５８  凹部。
【図１】
2011127735.tif 000003
【図２】
2011127735.tif 000004
【図３】
2011127735.tif 000005